(57)【要約】【課題】  コンバインやバインダー等の刈取機に備えられるデバイダの前端部に取り付けられるカバー部材において、カバー部材の収納場所を小さなものにすることができるように構成し、カバー部材の取り付け及び取り外しの操作性を良いもにする。【解決手段】  デバイダ１の前端部を覆うカバー部５と、デバイダ１の前端部を弾性的に挟持して自身をデバイダ１の前端部を保持させる挟持部６とを備えて、一つのデバイダ１の前端部に取り付けられるカバー部材４を構成する。【選択図】        図１
2008178339.tif 000002
【特許請求の範囲】
【請求項１】
デバイダの前端部を覆うカバー部と、デバイダの前端部を弾性的に挟持して自身をデバイダの前端部を保持させる挟持部とを備えて、
一つのデバイダの前端部に取り付けられるカバー部材。
【請求項２】
全体が弾性体で構成された請求項１に記載のカバー部材。
【発明の詳細な説明】
【技術分野】
【０００１】
本発明は、コンバインやバインダー等の刈取機に備えられるデバイダにおいて、デバイダの前端部に取り付けられるカバー部材に関する。
【背景技術】
【０００２】
コンバインやバインダー等の刈取機に備えられるデバイダは、作物の列の間に分け入るものなので、一般に三角形状に構成されており、デバイダの前端部が尖った状態となっている（特許文献１の図１，２，７の７参照）。これにより、トラックの荷台に載せての運搬時等において、デバイダの前端部を破損しないように、特許文献１に開示されているように、デバイダの前端部にカバー部材（特許文献１の図６及び図７の１５，１５Ａ）を取り付けておくことがある。
【０００３】
特許文献１では、横長の板材を断面Ｊ字状に折り曲げてカバー部材（特許文献１の図６及び図７の１５，１５Ａ）を構成しており、複数のデバイダの前端部に亘ってカバー部材を配置して、ボルト及びナット（特許文献１の図６及び図７の１６，１７）により、デバイダの前端部にカバー部材を取り付けている。
【０００４】
【特許文献１】特開２００６−１０１８００号公報
【発明の開示】
【発明が解決しようとする課題】
【０００５】
特許文献１では、カバー部材が横長で比較的大きなものであり、デバイダの前端部からカバー部材を取り外した場合に、カバー部材の収納場所に大きなスペースが必要になるので、改善の余地がある（特許文献１では、特許文献１の図８に示すように、グレンタンク（特許文献１の図１の９）の下部のサイドカバー（特許文献１の図１及び図８の９Ｃ）の内面に、カバー部材（特許文献１の図１及び図８の１５）を収納している）。
【０００６】
特許文献１では、ボルト及びナットによりデバイダの前端部にカバー部材を取り付けており、カバー部材の取り付け及び取り外しの際に、ボルト及びナットの締め付け及び緩み操作を行う必要があるので、カバー部材の取り付け及び取り外しの操作性と言う面で改善の余地がある。
【０００７】
本発明は、コンバインやバインダー等の刈取機に備えられるデバイダの前端部に取り付けられるカバー部材において、カバー部材の収納場所を小さなものにすることができるように構成することを目的としており、カバー部材の取り付け及び取り外しの操作性が良いものとなるように構成することを目的としている。
【課題を解決するための手段】
【０００８】
［Ｉ］
（構成）
本発明の第１特徴は、カバー部材において次のように構成することにある。
デバイダの前端部を覆うカバー部と、デバイダの前端部を弾性的に挟持して自身をデバイダの前端部を保持させる挟持部とを備えて、一つのデバイダの前端部に取り付けられるカバー部材を構成する。
【０００９】
（作用）
本発明の第１特徴によると、カバー部材は一つのデバイダの前端部に取り付けられて、この一つのデバイダの前端部を覆うものであり、複数のデバイダの前端部に亘って取り付けられるものではなくなる。これにより、カバー部材は一つのデバイダの前端部を覆う程度の小さく軽いものでよくなるので、特許文献１のように、カバー部材の収納場所に大きなスペースを確保する必要がない（例えば、運転部に備えられた小袋にカバー部材を入れておいたり、運転者の衣服のポケットに入れておいたりすることができる）。
【００１０】
本発明の第１特徴によると、カバー部材の挟持部によりデバイダの前端部を弾性的に挟持することによって、デバイダの前端部にカバー部材を保持することができるのであり、カバー部材の取り付け及び取り外しの為に、ボルト及びナットの締め付け及び緩み操作を行う必要がない。
本発明の第１特徴によると、カバー部材は一つのデバイダの前端部を覆う程度の小さく軽いものでよいので、カバー部材の挟持部によりデバイダの前端部を弾性的に挟持する程度の保持力により、デバイダの前端部にカバー部材を無理なく保持することができる。
【００１１】
本発明の第１特徴によると、他のデバイダの前端部とは関係なく独立して、一つのデバイダの前端部にカバー部材を取り付けることができる。これにより、複数のデバイダの前端部の全てにカバー部材を取り付けたり、複数のデバイダのうち必要なデバイダの前端部にだけカバー部材を取り付けたりすることができる。
【００１２】
特許文献１のように、複数のデバイダの前端部に亘ってカバー部材を取り付けると、２個のデバイダの間の空間にカバー部材が存在することになるので、カバー部材が作業の邪魔になる場合がある。
本発明の第１特徴によると、他のデバイダの前端部とは関係なく独立して、一つのデバイダの前端部にカバー部材を取り付けることができるので、２個のデバイダの間の空間にカバー部材が存在するような状態が生じることはなく、カバー部材が作業の邪魔になるようなことがない。
【００１３】
（発明の効果）
本発明の第１特徴によると、コンバインやバインダー等の刈取機に備えられるデバイダの前端部に取り付けられるカバー部材において、カバー部材は一つのデバイダの前端部を覆う程度の小さく軽いものでよくなるように構成することができ、カバー部材の収納場所に大きなスペースを確保する必要がなくなって、刈取機のスペースの有効活用に貢献することができた。
本発明の第１特徴によると、カバー部材の取り付け及び取り外しの為に、ボルト及びナットの締め付け及び緩み操作を行う必要がないので、カバー部材の取り付け及び取り外しの操作性を良いものにすることができた。
【００１４】
本発明の第１特徴によると、複数のデバイダの前端部の全てにカバー部材を取り付けたり、複数のデバイダのうち必要なデバイダの前端部にだけカバー部材を取り付けたりすることができる点、並びに、２個のデバイダの間の空間にカバー部材が存在するような状態が生じない点により、刈取機の作業性を高めることができた。
【００１５】
［ＩＩ］
（構成）
本発明の第２特徴は、本発明の第１特徴のカバー部材において次のように構成することにある。
カバー部材の全体を弾性体で構成する。
【００１６】
（作用）
本発明の第２特徴によると、本発明の第１特徴と同様に前項［Ｉ］に記載の「作用」を備えており、これに加えて以下のような「作用」を備えている。
本発明の第２特徴によると、カバー部材の全体を弾性体（例えば合成ゴムや合成樹脂等）で構成しており、カバー部材のカバー部や挟持部を弾性体で一体的に形成することができる。
【００１７】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、カバー部材のカバー部や挟持部を弾性体で一体的に形成することができて、構造の簡素化及び生産の低コスト化を図ることができた。
【発明を実施するための最良の形態】
【００１８】
図１（イ）及び図２は、刈取機の一例である自脱型のコンバインにおいて、機体の前部に備えられた刈取部（図示せず）の前部下部に支持されたデバイダ１を示している。刈取フレーム２６に連結された平板状の支持部材２（縦向きに配置された壁状）と、平面視三角形状で横向きに配置された案内部材３とを備えて、デバイダ１が構成されており、支持部材２の上部に案内部材３が連結されている。
【００１９】
図１（イ），２，３，４に示すように、カバー部材４が合成ゴムや合成樹脂、硬質のスポンジ等（弾性体に相当）により一体的に構成されている。カバー部材４は、前部及び上部に相当するカバー部５、カバー部５から後方に延出された一対の挟持部６を主たる部分として構成され、外面が全体的に球状に形成されている。一対の挟持部６に平面状の底部１１が形成され、底部１１から斜めに前底部１２が形成されており、底部１１を下にしてカバー部材４を置くことにより、カバー部材４が転がらないように置くことができる。
【００２０】
図１（イ），２，３，４に示すように、カバー部５及び一対の挟持部６の間に幅狭のスリット状の空間が構成されており、スリット状の空間の横幅に相当する幅狭の凹部７がカバー部５の内側に形成されている。スリット状の空間の横幅に相当する幅狭の上壁部８が凹部７の上部から斜めに延出され、スリット状の空間の横幅に相当する幅狭の下壁部９が凹部７の下部から斜めに延出されており、外方に斜めに開く横壁部１０が形成されて、一対の横壁部１０により開口部が形成されている。
【００２１】
以上のように構成されたカバー部材４において、一つのデバイダ１（支持部材２）の前端部にカバー部材４を取り付ける場合、図１（イ）（ロ），２，３に示すように、デバイダ１（支持部材２）の前端部を、一対の横壁部１０（一対の挟持部６）の間に挿入して凹部７に入り込ませて、一つのデバイダ１（支持部材２）の前端部にカバー部材４を取り付ける。
この場合、一対の挟持部６の間隔Ｌ１が、デバイダ１（支持部材２）の前端部の横幅（板厚）よりも少し小さいものに設定されており、一対の挟持部６によりデバイダ１（支持部材２）の前端部を弾性的に挟持することによって、デバイダ１（支持部材２）の前端部にカバー部材４が保持される。
【００２２】
図１（ロ）及び図２に示すように、カバー部５及び一対の挟持部６の間に幅狭のスリット状の空間が、充分に上下高さのあるものに構成されている。これにより、デバイダ１（支持部材２）の前端部を、一対の横壁部１０の間に挿入して凹部７にまで入り込ませた状態において、上壁部８とデバイダ１（支持部材２）の前端部の上部との間、並びに、下壁部９とデバイダ１（支持部材２）の前端部の下部との間に隙間が生じており、デバイダ１（支持部材２）の前端部に対して、カバー部材４が図２の紙面上下方向に少し動ける状態となっている。
【００２３】
［発明の実施の第１別形態］
前述の［発明を実施するための最良の形態］に代えて、図５（イ）（ロ），６，７，８に示すように構成してもよい。
図５（イ），６，７，８に示すように、カバー部材１３が合成ゴムや合成樹脂、硬質のスポンジ等（弾性体に相当）により一体的に構成されている。カバー部材１３は、前部に相当するカバー部１４、カバー部１４の上部から斜めに延出された上挟持部１５、カバー部１４の下部から延出された下挟持部１６、上及び下挟持部１５，１６の図７の紙面右側部分に亘って接続された縦壁部１７（挟持部に相当）、上挟持部１５の図７の紙面右側部に接続された凸部１８を主たる部分として構成されている。
【００２４】
図５（イ），６，７，８に示すように、吊るし用又は紐通し用等の開口部１９が、凸部１８に形成されている。幅狭の凹部２０がカバー部１４の内側に形成されており、幅狭の上壁部２１が凹部２０の上部から斜めに延出され、幅狭の下壁部２２が凹部２０の下部から斜めに延出されている。カバー部１４（凹部２０）の図８の紙面右側部に低い縦壁部２３（挟持部に相当）が備えられ、上挟持部１５（上壁部２１）の図７の紙面左側部に低い縦壁部２４（挟持部に相当）が備えられて、下挟持部１６（下壁部２２）の図７の紙面左側部に低い縦壁部２５（挟持部に相当）が備えられており、縦壁部２３，２４，２５が連続的に形成されている。カバー部１４（凹部２０）、上挟持部１５（上壁部２１）及び下挟持部１６（下壁部２２）の図７の紙面右側部は、縦壁部１７によって塞がれているのに対して、カバー部１４（凹部２０）、上挟持部１５（上壁部２１）及び下挟持部１６（下壁部２２）の図７の紙面左側部は、開放されている。
【００２５】
以上のように構成されたカバー部材１３において、一つのデバイダ１（支持部材２）の前端部にカバー部材１３を取り付ける場合、図５（イ）（ロ），６，７に示すように、デバイダ１（支持部材２）の前端部を、上及び下挟持部１５，１６の間に挿入して凹部２０に入り込ませて、一つのデバイダ１（支持部材２）の前端部にカバー部材１３を取り付ける。
【００２６】
この場合、図６及び図７に示すように、上及び下挟持部１５，１６（上及び下壁部２１，２２）の上下間隔が、デバイダ１（支持部材２）の前端部の上下間隔と同じか少し小さいものに設定され、縦壁部１７と縦壁部２３，２４，２５との間隔が、デバイダ１（支持部材２）の前端部の横幅（板厚）よりも少し小さいものに設定されている。これにより、上及び下挟持部１５，１６（上及び下壁部２１，２２）により、デバイダ１（支持部材２）の前端部を図６及び図７の紙面上下方向から弾性的に挟持し、縦壁部１７と縦壁部２３，２４，２５とにより、デバイダ１（支持部材２）の前端部を図６及び図７の紙面左右方向から弾性的に挟持することによって、デバイダ１（支持部材２）の前端部にカバー部材１３が保持される。
【００２７】
［発明の実施の第２別形態］
前述の［発明を実施するための最良の形態］において、カバー部材４の全体を合成ゴムや合成樹脂、硬質のスポンジ等（弾性体に相当）により一体的に構成するのではなく、以下のように構成してもよい。
（１）カバー部材４において、挟持部６を合成ゴムや合成樹脂、硬質のスポンジ等（弾性体に相当）により構成し、これ以外の部分を金属や他の硬質の部材で構成する。
（２）カバー部材４において、全体を金属や他の硬質の部材で一体的に構成し、挟持部６の内面に合成ゴムや合成樹脂、硬質のスポンジ等（弾性体に相当）を貼り付ける。
（３）カバー部材４において、全体を金属や他の硬質の部材で構成し、挟持部６をカバー部５に揺動自在に支持して、挟持部６を挟み込み側に付勢するバネ（図示せず）を備える（例えば洗濯バサミのような構成）。
【００２８】
［発明の実施の第３別形態］
前述の［発明の実施の第１別形態］において、カバー部材１３の全体を合成ゴムや合成樹脂、硬質のスポンジ等（弾性体に相当）により一体的に構成するのではなく、以下のように構成してもよい。
（１）カバー部材１３において、上及び下挟持部１５，１６、縦壁部１７，２３，２４，２５を合成ゴムや合成樹脂、硬質のスポンジ等（弾性体に相当）により構成し、これ以外の部分を金属や他の硬質の部材で構成する。
（２）カバー部材１３において、全体を金属や他の硬質の部材で一体的に構成し、上及び下挟持部１５，１６、縦壁部１７，２３，２４，２５の内面に合成ゴムや合成樹脂、硬質のスポンジ等（弾性体に相当）を貼り付ける。
（３）カバー部材１３において、全体を金属や他の硬質の部材で構成し、上及び下挟持部１５，１６をカバー部１４に揺動自在に支持して、上及び下挟持部１５，１６を挟み込み側に付勢するバネ（図示せず）を備える（例えば洗濯バサミのような構成）。
【図面の簡単な説明】
【００２９】
【図１】（イ）デバイダの前端部からカバー部材を取り外した状態、及び（ロ）デバイダの前端部にカバー部材を取り付けた状態を示す斜視図
【図２】デバイダの前端部にカバー部材を取り付けた状態を示す縦断側面図
【図３】デバイダの前端部にカバー部材を取り付けた状態を示す縦断背面図
【図４】カバー部材の底面図
【図５】発明の実施の第１別形態において、（イ）デバイダの前端部からカバー部材を取り外した状態、及び（ロ）デバイダの前端部にカバー部材を取り付けた状態を示す斜視図
【図６】発明の実施の第１別形態において、デバイダの前端部にカバー部材を取り付けた状態を示す縦断側面図
【図７】発明の実施の第１別形態において、デバイダの前端部にカバー部材を取り付けた状態を示す縦断背面図
【図８】発明の実施の第１別形態において、カバー部材の側面図
【符号の説明】
【００３０】
１                                      デバイダ
５，１４                                カバー部
６，１５，１６，１７，２３，２４，２５  挟持部
【図１】
2008178339.tif 000003
【図２】
2008178339.tif 000004
【図３】
2008178339.tif 000005
【図４】
2008178339.tif 000006
【図５】
2008178339.tif 000007
【図６】
2008178339.tif 000008
【図７】
2008178339.tif 000009
【図８】
2008178339.tif 000010